(57)【要約】      （修正有）【課題】簡素な構造を備え、使用する樹脂量は抑えつつも内容物の詰め替えを安定してかつスムーズに行い得る新規な詰替え容器を提案する。【解決手段】詰替え容器１は、内容物の注出経路を形成する口頸部２の基端につながる肩部３、この肩部の下端につながる胴部４、及びこの胴部の下端につながる底部５によってその内側に内容物の充填空間Ｍを区画形成する容器本体６と、この容器本体の口頸部に設けられ、内容物の詰め替え先である被詰替え容器の口部にあてがって充填空間内の内容物を移し替える注出栓７と、を備えている。胴部は、該胴部を変形自在とする壁厚Ｗ４を有し、肩部及び底部は、胴部の壁厚よりも大であって該肩部及び底部の初期形状を保つ壁厚Ｗ３、Ｗ５を有する。【選択図】図１
2011136709.tif 000002
【特許請求の範囲】
【請求項１】
内容物の注出経路を形成する口頸部の基端につながる肩部、この肩部の下端につながる胴部、及びこの胴部の下端につながる底部によってその内側に内容物の充填空間を区画形成する容器本体と、この容器本体の口頸部に設けられ、内容物の詰め替え先である被詰替え容器の口部にあてがって前記充填空間内の内容物を移し替える注出栓と、を備えた詰替え容器であって、
前記胴部が、該胴部を変形自在とする壁厚を有し、
前記肩部及び前記底部が、前記胴部の壁厚よりも大であって該肩部及び底部の初期形状を保つ壁厚をそれぞれ有する、ことを特徴とする詰替え容器。
【請求項２】
前記底部の壁厚は、前記肩部の壁厚よりも小または同等である、請求項１に記載の詰替え容器。
【請求項３】
前記肩部の内側には、前記底部をそっくり収容可能な収容スペースが形成されている、請求項１又は２に記載の詰替え容器。
【請求項４】
前記肩部の下端及び前記底部の上端の少なくとも一方に、該肩部と底部とを相互に連係させる凸部を設けた、請求項１〜３の何れか一項に記載の詰替え容器。
【請求項５】
前記注出栓は、前記充填空間につながる内部通路を有し前記口頸部の突端部において起立する筒体と、この筒体の内部通路内に着脱可能に嵌合保持され該内部通路を閉塞する栓体とを有してなる、請求項１〜４の何れか一項に記載の詰替え容器。
【発明の詳細な説明】
【技術分野】
【０００１】
この発明は、詰替え容器に関するものであり、使用する樹脂量は抑えつつも内容物の安定した詰替え作業を実現しようとするものである。
【背景技術】
【０００２】
シャンプーやリンス、洗剤、消臭除菌剤あるいは化粧品等を入れる容器としては、内容物の適量取り出しを可能とするためにポンプの如き吐出器を備えられたものが数多く上市される傾向にあり、内容物を使い切ったのちは、別途に市販されている詰替え容器から新たな内容物を移し替えて元の容器（被詰替え容器）を再利用するのが普通になってきており、これによって資源の有効活用が図られている。
【０００３】
ところで、詰替え容器として初期から提案されていたパウチタイプの容器は、省資源化や廃棄性に有利となるものの容器としての腰が弱く（剛性が低く）内容物の詰替えが行い難いという問題があった。その改善のためにこれまでの種々の提案がなされており、例えば特許文献１では、２つの容器（詰替え容器及び被詰替え容器）をねじを介して相互に連結したのちに内容物の移し替えを行う技術が提案されている。
【先行技術文献】
【特許文献】
【０００４】
【特許文献１】特開２０００−１５９２４９号公報
【発明の概要】
【発明が解決しようとする課題】
【０００５】
この発明の課題は、簡素な構造を備え、使用する樹脂量は抑えつつも内容物の詰め替えを安定してかつスムーズに行い得る新規な詰替え容器を提案することにある。
【課題を解決するための手段】
【０００６】
この発明は上記課題を解決するためになされたものであり、この発明の詰替え容器は、内容物の注出経路を形成する口頸部の基端につながる肩部、この肩部の下端につながる胴部、及びこの胴部の下端につながる底部によってその内側に内容物の充填空間を区画形成する容器本体と、この容器本体の口頸部に設けられ、内容物の詰め替え先である被詰替え容器の口部にあてがって前記充填空間内の内容物を移し替える注出栓と、を備えた詰替え容器であって、前記胴部が、該胴部を変形自在とする壁厚を有し、前記肩部及び前記底部が、前記胴部の壁厚よりも大であって該肩部及び底部の初期形状を保つ壁厚をそれぞれ有する、ことを特徴とするものである。
【０００７】
かかる構成の詰替え容器にあっては、被詰替え容器への内容物の詰め替えに際して、詰替え容器の注出栓を被詰替え容器の口部にあてがって容器を倒立させると、胴部は内容物の注出にしたがって変形し充填空間が減容していくので、容器本体内の内容物はスムーズに注出される。またこのとき、胴部に比べて壁厚が大となり初期形状を保たれた肩部を把持部とすることができるので、安定した内容物の移し替えが可能となる。また、胴部を薄肉としたことにより使用する樹脂量を削減することができる。
【０００８】
したがって、この発明の詰替え容器によれば、構造が簡素であり、使用する樹脂量は抑えつつも内容物の詰め替えを安定してかつスムーズに行うことができる。また、胴部を変形自在に形成したことから、容器の廃棄に際してコンパクトにすることができるとともに、容器本体内への内容物の充填前における容器のスタッキング性（収納性）を改善することができる。
【０００９】
なお、この発明の詰替え容器にあっては、底部の壁厚は、肩部の壁厚よりも小または同等であることが好ましく、これによれば、使用する樹脂量のさらなる低減を図ることができる。
【００１０】
また、この発明の詰替え容器にあっては、肩部の内側には底部をそっくり収容可能な収納スペースが形成されていることが好ましく、これによれば、容器の廃棄に際して容器のさらなるコンパクト化を図ることができるとともに、上述のスタッキング性をより向上させることができる。
【００１１】
さらに、この発明の詰替え容器にあっては、肩部の下端及び底部の上端の少なくとも一方に、該肩部と底部とを相互に連係させる凸部を設けることが好ましく、これによれば、肩部と底部とを合致させた状態を維持できるので、特に廃棄時やスタッキング時に容器をコンパクトにした状態での取り扱いが可能となる。
【００１２】
しかも、この発明の詰替え容器にあっては、注出栓は、充填空間につながる内部通路を有し口頸部の突端部において起立する筒体と、この筒体の内部通路内に着脱可能に嵌合保持され該内部通路を閉塞する栓体とを有してなることが好ましく、これによれば、筒体を被詰替え容器の口部に対して押し込むだけで栓体を取り外して内容物の移し替えを開始することが可能となり、内容物の手指への付着を伴うことなしに簡単な操作のもとで詰替えを行うことができる。
【発明の効果】
【００１３】
かくしてこの発明によれば、簡素な構造を備え、使用する樹脂量は抑えつつも内容物の詰め替えを安定してかつスムーズに行い得る新規な詰替え容器を提案することができる。
【図面の簡単な説明】
【００１４】
【図１】この発明に従う一実施形態の詰替え容器を示した断面図である。
【図２】図１に示した詰替え容器を、被詰替え容器とともに示した断面図（詰替前）である。
【図３】図１に示した詰替え容器を、被詰替え容器とともに示した断面図（詰替中）である。
【図４】この発明に従う他の実施形態の詰替え容器を示した断面図であり、（ａ）は内容物の詰替え前の状態を、（ｂ）及び（ｃ）は内容物の注出後の状態をそれぞれ示したものである。
【発明を実施するための形態】
【００１５】
以下、図面を参照してこの発明をより具体的に説明する。ここで図１は、この発明に従う一実施形態の詰替え容器を示した断面図であり、図２及び図３は、図１に示した詰替え容器を、被詰替え容器とともに示した断面図である。
【００１６】
図１に示すように、詰替え容器１は、内容物の注出経路を形成する口頸部２の基端につながる肩部３、この肩部３の下端につながる胴部４、及びこの胴部４の下端につながる底部５によってその内側に内容物の充填空間Ｍを区画形成する容器本体６と、この容器本体６の口頸部２に設けられ、内容物の詰め替え先である被詰替え容器２０（図２及び３参照）の口部２０ａにあてがって充填空間Ｍ内の内容物を移し替える注出栓７と、を備えている。
【００１７】
この容器本体６は、口頸部２、肩部３、胴部４及び底部５を一体的に形成した円形断面をなす合成樹脂製の容器であり、例えば二軸延伸ブロー成形により製造可能である。
【００１８】
胴部４は、上下方向（口頸部２側を上側、底部５側を下側とする）の中央位置に向けて若干径が小さくなる略筒形状を有している。また、胴部４は、該胴部４を変形自在とする壁厚Ｗ４を有する。ここで、「変形自在」とは、胴部４それ自体の剛性をもってしては、自身の形状を維持不可能な状態を意味し、つまり注出栓７によって容器１内部を密封した状態（図１参照）になって初めて肩部３と底部５との離間を保持することができるようになる一方、内容物の注出時では内容物の減量に伴って縮減して容器本体６の上下方向の寸法を減少させる状態を意味する。本実施形態では、本体容器６はＰＥＴやＰＰを材質とすることができるが、壁厚Ｗ４は、材質の強度等に応じて適宜に設定して胴部４を変形自在に形成することができる。
【００１９】
肩部３は、口頸部２から胴部４に向かうに連れて拡径するドーム状をなし、下端の最大径部を境界にして胴部４へとつながっている。底部５は、胴部４の下端を塞ぐものであり、容器本体６の最下部に位置して中央部が容器内側へ窪んだ底壁５ａとこの底壁５ａの外縁から胴部４に向けて立ち上がる周壁５ｂとを有している。肩部３及び底部５は、胴部４の壁厚Ｗ４よりも大であって該肩部３及び底部５の初期形状を保つ壁厚Ｗ３、Ｗ５を有している。ここで「初期形状」とは、成形（製造）された当初の形状を意味する。よって、肩部３、胴部４及び底部５の壁厚Ｗ３、Ｗ４、Ｗ５は、W４＜W３，W５との関係を満たし、さらにこの実施形態では、底部５の壁厚Ｗ５は肩部３の壁厚Ｗ３より小であり、Ｗ４＜Ｗ５＜Ｗ３との関係を満たす。なお、底部５の壁厚Ｗ５と肩部３の壁厚Ｗ３とを同等としても良い。さらに、図示しないが、肩部３の外周面の上端部から下端部にかけて縦リブ（ローレット）を周方向に複数形成することにより、詰替え時の滑り止め（肩部３を把持した場合）としたり肩部３を補強したりすることも可能である。
【００２０】
また、この実施形態では、肩部３の下端位置における内径ＩＤ３は、底部５の上端位置における外径（周壁の外径）ＯＤ５より僅かに大（ＩＤ３＞ＯＤ５）であり、これによって肩部の内側には底部５をそっくり収容可能な収納スペースＳが形成されている。
【００２１】
注出栓７は、容器本体６の充填空間Ｍにつながる内部通路を有し口頸部２の突端部において起立する筒体８と、この筒体８の内部通路内に着脱自在に嵌合保持され該内部通路を閉塞する栓体９とからなる。筒体８は、容器本体６の口頸部２にねじ止め（アンダーカット係合でもよい。）することによって着脱自在に係合するベース８ａと、このベース８ａの天面において起立状態で設けられた本体部８ｂから構成されている。
【００２２】
ベース８ａは、容器本体６の口頸部２の周りを取り囲む外周壁８ａ１と、この外周８ａ１壁の上端に一体連結する天面壁８ａ２と、外周壁８ａ１及び天面壁８ａ２に一体連結し容器本体６の口頸部２の内壁面に当接する内周壁８ａ３から形成されている。
【００２３】
栓体９は、筒体８の本体部８ｂからベース８ａの内周壁８ａ３にわたって嵌合する周壁部９ａと、この壁部９ａの上端部に一体連結する板状の閉塞壁部９ｂから構成されている。
【００２４】
図２、図３は、この発明にしたがう詰替え容器１の内容物を移し替えるための容器（内容物を詰替えるべき容器であって、以下、「被詰替え容器」と記す。）２０を詰替え容器１とともに示した図である。
【００２５】
図２、３に示すように、被詰替え容器２０は、口部２０ａに受け部材２１を備えている。受け部材２１は、被詰替え容器２０の口部２０ａにねじ止めあるいはアンダーカット係合可能な環状体２１ａと、この環状体２１ａの上端に起立状態で一体連結する環状周壁２１ｂと、被詰替え容器２０の口部２０ａの内側において区画凹所を形成するとともにその縁部を全周にわたって環状体２１ａの上端から一体連結したカップ部２１ｃと、このカップ部２１ｃの底部中央において起立する基台２１ｄと、この基台２１ｄの上端部において立ち上がる先端先細り形状をなす樋状のガイド片２１ｅとを備えており、さらに基台２１ｄの外周には、注出栓７の筒体８をガイド片２１ｅに沿って差し込んだ際に該筒体８の先端に当接して該差し込みを停止する少なくとも１つの縦リブｒが設けられている。
【００２６】
受け部材２１の環状周壁２１ｂの外周面にはねじ部が形成されており、図示しないオーバーキャップをねじ止めすることによって被詰替え容器２０を密封状態に保持することが可能となっている（アンダーカット係合でもよい。）。また、カップ部２１ｃの底部は、一端から他端に向けて傾いていて、該底部が最も低くなる部位に貫通孔ｈが形成されている。
【００２７】
詰替え容器１内の内容物を被詰替え容器２０に移し替えるには、図２に示すように、筒体８をガイド片２１ｅに沿って差し込む。そうすると、図３に示すように、ガイド片２１ｅの先端部で栓体４が容器本体６内部に押し込まれ筒体８に対する該栓体９の嵌合が解除されて、筒体８の内部通路を通って内容物が被詰替え容器２０へと流れ出る。
【００２８】
かかる構成の詰替え容器１にあっては、被詰替え容器２０への内容物の詰め替えに際して、詰替え容器１の注出栓７を被詰替え容器２０の口部２０ａにあてがって容器１を倒立させると、胴部４は内容物の注出にしたがって変形し充填空間Ｍが減容していくので、容器本体６内の内容物はスムーズに注出される。またこのとき、肩部３は胴部４に比べて壁厚が大であり初期形状が保たれている（剛性が高い）ので、内容物の移し替えに際して当該肩部３を把持部とすることができるようになり、安定した内容物の移し替えが可能となる。また、胴部４を薄肉としたことにより使用する樹脂量を削減することができる。
【００２９】
したがって、この詰替え容器１によれば、構造が簡素であり、使用する樹脂量は抑えつつも内容物の詰め替えを安定してかつスムーズに行うことができる。また、胴部４を変形自在に形成したことから、容器１の廃棄に際してコンパクトにすることができるとともに、容器本体６内への内容物の充填前における容器１のスタッキング性（収納性）を改善することができる。
【００３０】
また、この実施形態の詰替え容器１によれば、底部５の壁厚Ｗ５は、肩部３の壁厚Ｗ３よりも小であるので、使用する樹脂量の低減をより一層図ることができる。
【００３１】
また、この実施形態の詰替え容器１によれば、肩部３の内側には底部５をそっくり収容可能な収納スペースＳが形成されており、図３に示すように底部を該収納スペースＳ内に入れ込んで容器１の上下方向寸法を小さくできるので、容器の廃棄に際して容器のさらなるコンパクト化を図ることができるとともに、上述のスタッキング性をより向上させることができる。
【００３２】
さらに、この実施形態の詰替え容器１にあっては、注出栓７は、充填空間につながる内部通路を有し口頸部２の突端部において起立する筒体８と、この筒体８の内部通路内に着脱可能に嵌合保持され該内部通路を閉塞する栓体９とを有しているので、筒体８を被詰替え容器２０の口部２０ａに対して押し込むだけで栓体９を取り外して内容物の移し替えを開始することが可能となり、内容物の手指への付着を伴うことなしに簡単な操作のもとで詰替えを行うことができる。
【００３３】
次いで、この発明の他の実施形態について図４を参照して説明する。なお、先の実施形態で説明した部材と同様の部材には同様の符号を付し、その説明を省略する。
【００３４】
図４に示すように、この実施形態の詰替え容器１では、肩部３の下端及び底部５の上端の少なくとも一方（ここでは両方）に、該肩部３と底部５とを相互に連係させる凸部１０又はリブが設けられている。これによれば、肩部３と底部５とを合致させた状態、すなわち底部３を収納スペースＳ内に収めた状態（図４（ｂ）参照、ＩＤ３＞ＯＤ５の場合）や底部３を肩部３の下端に被せた状態（図４（ｃ）参照、ＩＤ＜ＯＤ５の場合）を確実に維持できるので、特に廃棄時やスタッキング時に容器をコンパクトにした状態での取り扱いが可能となる。なお、凸部１０は容器本体６をブロー成形により製造する関係上容器外面に設けているが、容器本体６をインジェクション成形により製造する場合には、容器内面に設けることもできる。
【００３５】
以上、図示例に基づき説明したが、この発明は上述の実施形態に限定されるものでなく、特許請求の範囲の記載範囲内で適宜変更することができるものであり、例えば、注出栓の筒体は、円形状を有するものを適用することができる他、楕円形状、矩形断面をなすもの等が適用可能でありその形状は、充填する内容物等に応じて種々変更することができる。また注出栓を覆うオーバーキャップを適宜設けても良い。さらに、底部の壁厚を肩部の壁厚よりも大としても良い。
【産業上の利用可能性】
【００３６】
かくしてこの発明により、簡素な構造を備え、使用する樹脂量は抑えつつも内容物の詰め替えを安定してかつスムーズに行い得る新規な詰替え容器がもたらされる。
【符号の説明】
【００３７】
１  詰替え容器
２  口頸部
３  肩部
４  胴部
５  底部
６  容器本体
７  注出栓
８  筒体
９  栓体
【図１】
2011136709.tif 000003
【図２】
2011136709.tif 000004
【図３】
2011136709.tif 000005
【図４】
2011136709.tif 000006